(57)【要約】【課題】観覧者の観覧希望時間に合わせて作品情報をガイダンスできるガイダンス装置等を提供する。【解決手段】展示場の観覧希望時間を入力する入力手段１１０と、入力された観覧希望時間に応じて、展示場内に展示された複数の作品の中からガイダンス対象となる１以上の対象作品を抽出し、当該１以上の対象作品の作品情報から成るガイダンス情報を生成するガイダンス情報生成手段１４０と、各対象作品の作品情報を出力する出力手段１８０と、を備えたものである。【選択図】図４
2009025863.tif 000002
【特許請求の範囲】
【請求項１】
展示場の観覧希望時間を入力する入力手段と、
入力された前記観覧希望時間に応じて、前記展示場内に展示された複数の作品の中からガイダンス対象となる対象作品を抽出する対象作品抽出手段と、
前記対象作品の作品情報を出力する出力手段と、を備えたことを特徴とするガイダンス装置。
【請求項２】
前記複数の作品の作品情報を記録した記録媒体を装着するための記録媒体装着部をさらに備え、
前記出力手段は、前記記録媒体から前記対象作品の前記作品情報を読み出して出力することを特徴とする請求項１に記載のガイダンス装置。
【請求項３】
前記作品毎に設置された１以上の無線タグからの発信電波を受信する通信手段をさらに備え、
前記出力手段は、前記通信手段により前記発信電波を受信した前記無線タグに対応する作品の作品情報を出力可能であり、
前記通信手段は、前記対象作品に対応する前記無線タグである対象無線タグ以外の無線タグからの発信電波の受信を無視することを特徴とする請求項１または２に記載のガイダンス装置。
【請求項４】
前記複数の作品は、カテゴリ別に分類されていると共に、
前記入力手段は、希望の前記カテゴリを入力可能であり、
前記対象作品抽出手段は、入力された前記カテゴリに該当する作品の中から優先的に前記対象作品を抽出することを特徴とする１ないし３のいずれか１項に記載のガイダンス装置。
【請求項５】
前記作品情報は、複数項目から成ると共に、
前記入力手段は、１作品当たりの鑑賞時間が異なる複数の観覧コースの中からいずれかを選択可能であり、
入力された前記観覧コースおよび／または前記観覧希望時間に応じて、前記出力手段の出力対象となる前記作品情報の項目を抽出する項目抽出手段をさらに備えたことを特徴とする請求項１ないし４のいずれか１項に記載のガイダンス装置。
【請求項６】
前記対象作品抽出手段により抽出された前記対象作品の数および展示位置に応じて、前記展示場内を誘導するための誘導案内情報を生成する誘導案内情報生成手段をさらに備え、
前記出力手段は、前記誘導案内情報を出力することを特徴とする請求項１ないし５のいずれか１項に記載のガイダンス装置。
【請求項７】
前記複数の作品の展示位置を示す展示場マップを記憶する展示場マップ記憶手段をさらに備え、
前記出力手段は、前記展示場マップ上に、前記誘導案内情報に基づく進行方向を表示することを特徴とする請求項６に記載のガイダンス装置。
【請求項８】
自身の位置を特定するための無線タグである装置用タグを搭載した請求項１ないし７のいずれか１項に記載のガイダンス装置と、
前記展示場内に設置された複数のリーダと、
前記複数のリーダによる前記装置用タグの読み取り結果に応じて、前記ガイダンス装置の位置をトレースする展示場サーバと、を備えたことを特徴とするガイダンスシステム。
【請求項９】
前記展示場の出口付近には、盗難防止装置がさらに設置され、
前記盗難防止装置は、前記装置用タグの読み取り結果に応じて、前記ガイダンス装置の盗難を検知することを特徴とする請求項８に記載のガイダンスシステム。
【請求項１０】
展示場内に展示された複数の作品のガイダンスを行うガイダンス装置と、
前記ガイダンス装置に、前記ガイダンスを行うためのガイダンス情報を提供する展示場サーバと、を有するガイダンスシステムであって、
前記ガイダンス装置は、
前記展示場の観覧希望時間を入力する入力手段と、
入力された前記観覧希望時間を、前記展示場サーバに送信する観覧希望時間送信手段と、
前記展示場サーバから前記ガイダンス情報を受信するガイダンス情報受信手段と、
前記ガイダンス情報を出力する出力手段と、を備え、
前記展示場サーバは、
前記複数の作品の作品情報を記憶したデータベースと、
前記ガイダンス装置から受信した前記観覧希望時間に応じて、前記複数の作品の中からガイダンス対象となる対象作品を抽出し、当該対象作品の作品情報を前記データベースから読み出して前記ガイダンス情報を生成するガイダンス情報生成手段と、
生成した前記ガイダンス情報を前記ガイダンス装置に送信するガイダンス情報送信手段と、を備えたことを特徴とするガイダンスシステム。
【請求項１１】
コンピュータを、請求項１ないし７のいずれか１項に記載のガイダンス装置における各手段として機能させるためのプログラム。
【発明の詳細な説明】
【技術分野】
【０００１】
展示場内に展示された複数の作品の作品情報をガイダンスするガイダンス装置、ガイダンスシステムおよびプログラムに関するものである。
【背景技術】
【０００２】
従来、この種のガイダンス装置として、複数の作品の作品情報（解説情報など）を記憶したメモリと、各作品の近傍に設定された無線タグと無線通信を行うためのアンテナと、作品情報を音声出力するヘッドホンと、を有し、無線タグに登録されている作品番号を受信して、当該作品番号と関連付けられた作品情報をガイダンスするものが知られている（例えば、特許文献１参照）。
【特許文献１】特開２００３−３４７９９１号公報
【発明の開示】
【発明が解決しようとする課題】
【０００３】
ところで、展示場を観覧する場合、観覧時間がどの程度必要となるのかが予想できないことが多い。また、ツアーなどで訪れた場合には、観覧時間に制限がある場合が多い。しかしながら、従来のガイダンス装置は、観覧者の時間の都合に関係なく、近傍にある展示作品の作品情報を出力するため、時間が無い場合は、作品情報の出力中に、途中でキャンセル操作を行う必要があった。また、展示場には、通常、幾つかの目玉作品が存在するが、最初の展示作品から忠実にガイダンスを視聴してしまったために、肝心の目玉作品を鑑賞する時間が無くなってしまうといった問題もあった。
【０００４】
本発明は、このような問題点に鑑み、観覧者の観覧希望時間に合わせて作品情報をガイダンスできるガイダンス装置、ガイダンスシステムおよびプログラムを提供することを課題とする。
【課題を解決するための手段】
【０００５】
本発明のガイダンス装置は、展示場の観覧希望時間を入力する入力手段と、入力された観覧希望時間に応じて、展示場内に展示された複数の作品の中からガイダンス対象となる対象作品を抽出する対象作品抽出手段と、対象作品の作品情報を出力する出力手段と、を備えたことを特徴とする。
【０００６】
この構成によれば、入力された観覧希望時間に応じて、複数の作品の中からガイダンス対象となる対象作品を抽出するため、観覧者の観覧希望時間に見合った作品数のガイダンスを行うことができる。例えば、展示場内にある全ての作品Ｎ個の観覧に必要な観覧所要時間がＸ時間であって、観覧希望時間がＸ／２と入力された場合、Ｎ／２個の作品情報を抽出することで、観覧希望時間内にＮ／２個の作品情報をガイダンスすることができる。
なお、「複数の作品の作品情報」は、ガイダンス装置内に記憶していても良いし、外部装置（外部記憶媒体）に記憶していても良い。すなわち、抽出手段により抽出した対象作品の作品情報を、ガイダンス装置内から読み出しても良いし、外部装置から取得しても良い。
また、「複数の作品の作品情報」は、目玉作品を最優先にするなど、展示場側が提示するお勧め度に応じて優先順位が付けられていることが好ましい。この構成によれば、観覧希望時間が短い場合でも、観覧者が目玉作品を見逃すことがない。
また、「展示場」とは、美術館や博物館を含むものであり、屋内外を問わず作品や商品あるいは観覧対象物が展示されている場所を指すものである。また、「出力手段」は、作品情報を、表示、音声出力、データ送信を含むものであり、その出力形態は問わない。
【０００７】
上記に記載のガイダンス装置において、複数の作品の作品情報を記録した記録媒体を装着するための記録媒体装着部をさらに備え、出力手段は、記録媒体から対象作品の作品情報を読み出して出力することが好ましい。
【０００８】
この構成によれば、作品情報を記録した記録媒体を装着できるため、装置本体の汎用性を高めることができる。すなわち、展示場に応じて装着する記録媒体を変更するだけで、あらゆる展示場において使用することができる。また、記録媒体から作品情報を読み出して出力するため、作品情報を提供するネットワーク等の設備を必要とすることなく、ガイダンス装置本体と記録媒体だけでガイダンスサービスを実現することができる。
【０００９】
上記に記載のガイダンス装置において、作品毎に設置された１以上の無線タグからの発信電波を受信する通信手段をさらに備え、出力手段は、通信手段により発信電波を受信した無線タグに対応する作品の作品情報を出力可能であり、通信手段は、対象作品に対応する無線タグである対象無線タグ以外の無線タグからの発信電波の受信を無視することが好ましい。
【００１０】
この構成によれば、無線タグからの発信電波を受信することによって作品情報を出力するため、観覧者の身近にある作品の作品情報を出力できる。これにより、多くの作品情報の中から所望の作品を選択するといった煩雑な手間を必要としないため、年少者から高齢者まで幅広くガイダンス装置を利用できる。また、対象無線タグ以外からの発信電波の受信を無視するため、所望の作品ではなく誤って隣の作品の作品情報を受信してしまうといった電波受信障害を減らすことができる。
【００１１】
上記に記載のガイダンス装置において、複数の作品は、カテゴリ別に分類されていると共に、入力手段は、希望のカテゴリを入力可能であり、対象作品抽出手段は、入力されたカテゴリに該当する作品の中から優先的に対象作品を抽出することが好ましい。
【００１２】
この構成によれば、入力されたカテゴリに該当する作品の中から優先的に対象作品を抽出するため、観覧者が希望に見合った作品の作品情報をガイダンスすることができる。なお、「カテゴリ」は、作品のジャンル、作家、様式、作品が作成された年代、製作／発掘地域による分類を含む。
【００１３】
上記に記載のガイダンス装置において、作品情報は、複数項目から成ると共に、入力手段は、１作品当たりの鑑賞時間が異なる複数の観覧コースの中からいずれかを選択可能であり、入力された観覧コースおよび／または観覧希望時間に応じて、出力手段の出力対象となる作品情報の項目を抽出する項目抽出手段をさらに備えたことが好ましい。
【００１４】
この構成によれば、選択された観覧コースに応じて、出力対象となる作品情報の項目を抽出することにより、例えば１作品当たりの鑑賞時間が短い初心者コースの場合、作品情報の項目を減らし、１作品当たりの鑑賞時間が長い熟練者コースの場合、作品情報の全項目をガイダンスするなど、観覧者の希望する観覧コースに応じて、ガイダンスを行うことができる。また、入力された観覧希望時間に応じて、出力対象となる作品情報の項目を抽出することにより、観覧希望時間が短い場合に、出力対象となる作品情報の項目を減らすことができる。これにより、１作品当たりの鑑賞時間を短くすることができるため、同じ観覧時間でも、より多くの作品を鑑賞することが可能となる。
【００１５】
上記に記載のガイダンス装置において、対象作品抽出手段により抽出された対象作品の数および展示位置に応じて、展示場内を誘導するための誘導案内情報を生成する誘導案内情報生成手段をさらに備え、出力手段は、誘導案内情報を出力することが好ましい。
【００１６】
この構成によれば、誘導案内情報は、対象作品の展示位置に応じて生成されるため、観覧者はこの誘導案内に従って観覧すればよく、初めて訪れた展示場であってもスムーズに観覧することができる。また、誘導案内情報は、対象作品の数に応じて生成されるため、観覧者は、観覧希望時間内に、抽出された対象作品をバランスよく鑑賞することができる。
【００１７】
上記に記載のガイダンス装置において、複数の作品の展示位置を示す展示場マップを記憶する展示場マップ記憶手段をさらに備え、出力手段は、展示場マップ上に、誘導案内情報に基づく進行方向を表示することが好ましい。
【００１８】
この構成によれば、展示場マップ上に進行方向を表示するため、観覧者に対し、進行方向を分かり易く示すことができる。
なお、展示場マップ上には、観覧者の現在位置を表示することが好ましい。この構成によれば、観覧者が現在位置を把握することができると共に、観覧経路を誤る可能性を低くすることができる。
【００１９】
本発明のガイダンスシステムは、自身の位置を特定するための無線タグである装置用タグを搭載した上記に記載のガイダンス装置と、展示場内に設置された複数のリーダと、複数のリーダによる装置用タグの読み取り結果に応じて、ガイダンス装置の位置をトレースする展示場サーバと、を備えたことを特徴とする。
【００２０】
この構成によれば、展示場サーバは、展示場内に設置された複数のリーダの読み取り結果に応じて各ガイダンス装置の位置をトレースするため、当該各ガイダンス装置を所持する各観覧者がどこにいるのかを確認することができる。これにより、例えばグループ毎にガイダンス装置を登録しておくことで、同行者（迷子など）を捜し出すことができる。また、各展示エリアの混雑状況や、観覧者の動向を把握することもできる。
【００２１】
上記に記載のガイダンスシステムにおいて、展示場の出口付近には、盗難防止装置がさらに設置され、盗難防止装置は、装置用タグの読み取り結果に応じて、ガイダンス装置の盗難を検知することが好ましい。
【００２２】
この構成によれば、展示場の出口付近に盗難防止装置を設置するため、ガイダンス装置の盗難（ガイダンス装置の場外への持ち出し）を防止することができる。
【００２３】
本発明の他のガイダンスシステムは、展示場内に展示された複数の作品のガイダンスを行うガイダンス装置と、ガイダンス装置に、ガイダンスを行うためのガイダンス情報を提供する展示場サーバと、を有するガイダンスシステムであって、ガイダンス装置は、展示場の観覧希望時間を入力する入力手段と、入力された観覧希望時間を、展示場サーバに送信する観覧希望時間送信手段と、展示場サーバからガイダンス情報を受信するガイダンス情報受信手段と、ガイダンス情報を出力する出力手段と、を備え、展示場サーバは、複数の作品の作品情報を記憶したデータベースと、ガイダンス装置から受信した観覧希望時間に応じて、複数の作品の中からガイダンス対象となる対象作品を抽出し、当該対象作品の作品情報をデータベースから読み出してガイダンス情報を生成するガイダンス情報生成手段と、生成したガイダンス情報をガイダンス装置に送信するガイダンス情報送信手段と、を備えたことを特徴とする。
【００２４】
この構成によれば、入力された観覧希望時間に応じて、複数の作品の中から抽出された対象作品の作品情報をガイダンスするため、観覧者の観覧希望時間に見合った作品数のガイダンスを行うことができる。また、複数の作品の作品情報を記憶したデータベースと、ガイダンス情報を生成するガイダンス情報生成手段とを、展示場サーバに備えたため、ガイダンス装置は、観覧希望時間を入力する入力手段と、観覧希望時間を展示場サーバに送信する観覧希望時間送信手段と、展示場サーバからガイダンス情報を受信するガイダンス情報受信手段と、ガイダンス情報を出力する出力手段と、を備えるだけでよく、装置構成を簡素化できる。これにより、ガイダンス装置の小型化および低廉化を図ることができる。
【００２５】
本発明のプログラムは、コンピュータを、上記に記載のガイダンス装置における各手段として機能させるためのものであることを特徴とする。
【００２６】
このプログラムを実行することにより、観覧者の観覧希望時間に合わせて作品情報をガイダンスできるガイダンスサービスを実現することができる。
【発明を実施するための最良の形態】
【００２７】
以下、添付した図面を参照して、本発明の一実施形態に係るガイダンス装置、ガイダンスシステムおよびプログラムについて説明する。図１は、ガイダンスシステム１のシステム構成図である。同図に示すように、ガイダンスシステム１は、美術館や博物館等の展示場１００内において、観覧者（ユーザ）が所持するガイダンス装置１０と、展示場１００内の展示作品毎に設置される作品用タグ（無線タグ）２２と、展示場１００内の天井に設置される複数のＲＦＩＤリーダ３１（３１ａ〜３１e）と、展示場１００の場外（バックヤード）に設置される展示場サーバ４０と、展示場１００内の入口付近に設置される受付コンピュータ４１と、展示場１００内の出口付近に設置される盗難防止装置３２と、により構成されている。なお、図示矢印３６は、観覧経路を示すものである。
【００２８】
ガイダンス装置１０は、展示作品の作品情報を、音声または画面表示によりガイダンスするものである。また、観覧者の都合に合わせて観覧希望時間を設定したり、観覧を希望する希望カテゴリを指定したり（作者別の指定や、特別展／常設展の指定など）できるようになっている。
【００２９】
作品用タグ２２は、所謂ＲＦＩＤ（Radio Frequency Identification）であり、作品の展示位置２１近傍の壁や展示台に貼付される。各作品用タグ２２には、作品を特定するための作品番号が記録されており、ガイダンス装置１０からの応答リクエストに対して作品番号を発信する。なお、作品用タグ２２は、通信距離が数ｍ程度確保できるアクティブタイプ（自律発信，電池内蔵型）を用いることが好ましい。また、ガイダンス装置１０との無線通信には、電磁誘導方式のＬＦ波（周波数帯：３０〜１３０ＫＨｚ）を用いることが好ましい。ＬＦ波を用いることにより、電波遮蔽物（人体、金属など）の影響を軽減でき、混雑している状況でも安定的に無線通信を行うことができる。また、人体（特にペースメーカ）に与える影響を少なくすることができる。
【００３０】
複数のＲＦＩＤリーダ３１は、観覧者の位置（ガイダンス装置１０の位置）を検出するため、展示場１００内の天井などに略所定間隔で設置されている。具体的には、ガイダンス装置１０の装置本体１１に貼付あるいは内蔵された装置用タグ１７（ガイダンス装置１０の装置番号が記録されたＲＦＩＤタグ，図２参照）を定期的に読み取り、その読み取り結果をネットワークＮＴ１（有線／無線ネットワーク）で接続された展示場サーバ４０に送信する。なお、装置用タグ１７とＲＦＩＤリーダ３１との無線通信には、上記のＬＦ波を用いることが好ましい。
【００３１】
展示場サーバ４０は、一般的なパーソナルコンピュータであり、複数のＲＦＩＤリーダ３１の読み取り結果を取得して、展示場１００内における各観覧者の位置（ガイダンス装置１０の位置）をトレースする。図示の例のように観覧者が位置する場合、ガイダンス装置１０の装置用タグ１７が、例えば３つのＲＦＩＤリーダ３１ａ，３１ｂ，３１ｃによって読み取られる（読み取り範囲が広い場合はさらに多くのＲＦＩＤリーダ３１によって読み取られる）。展示場サーバ４０は、各ＲＦＩＤリーダ３１ａ，３１ｂ，３１ｃが読み取った装置番号と電波強度とに基づいて、ガイダンス装置１０の位置を特定する。つまり、各ＲＦＩＤリーダ３１ａ，３１ｂ，３１ｃが同一の装置番号を読み取り且つ電波強度が同一の場合、その３つのリーダの重心付近にガイダンス装置１０が位置すると判断できる。なお、展示場サーバ４０は、後述する受付コンピュータ４１および盗難防止装置３２とそれぞれネットワークＮＴ２，ＮＴ３を介して接続されており、ガイダンス装置１０の貸出状況やガイダンス装置１０の盗難を把握できるようになっている。
【００３２】
受付コンピュータ４１は、一般的なパーソナルコンピュータであり、ガイダンス装置１０の貸出受付に用いられる。受付コンピュータ４１は、ネットワークＮＴ２を介して展示場サーバ４０と接続されており、ディスプレイ上でガイダンス装置１０の位置を確認できるなど、展示場サーバ４０と情報の同期が図られている。また、受付コンピュータ４１は、ガイダンス装置１０の貸出受付時において、観覧者の氏名や連絡先を登録する他、グループや家族での来場など同伴者の位置特定を希望する観覧者に対しては、ガイダンス装置１０の装置番号とグループコードとを対応付けて登録する。これにより、受付コンピュータ４１、展示場サーバ４０、または当該展示場サーバ４０と接続される不図示のコンピュータ（展示場１００内のインフォメーションカウンター等に設置されるもの）で、同グループに所属する同伴者の位置（同伴者が所持するガイダンス装置１０の位置）を確認できるようになっている。
【００３３】
盗難防止装置３２は、装置用タグ１７を読み取り、その読み取り結果に応じて、ガイダンス装置１０の盗難を検知する。特に図示しないが、展示場１００内の出口手前には、ガイダンス装置１０を返却するための返却カウンターが設けられており、ガイダンス装置１０が返却されなかった場合（展示場出口から場外へ持ち出されそうになった場合）、盗難防止装置３２が装置用タグ１７を検知して警報を鳴らすようになっている。盗難防止装置３２は、ガイダンス装置１０の盗難を検知した場合、その情報を、ネットワークＮＴ３を介して展示場サーバ４０に送信する。展示場サーバ４０は、当該盗難検知を受けると、即座に警備員に無線連絡し、展示場１００の内外に警備員を緊急配備できるようになっている。
【００３４】
なお、盗難防止装置３２は、展示場出口付近だけでなく展示場入口付近など、他の出入口にも設置してもよいが、設置数を少なくするため、他の出入口には一方通行の入場ゲートを設けてもよい。また、盗難防止装置３２は、観覧者の位置を特定するためのＲＦＩＤリーダ３１の一つとして機能させてもよく、ＲＦＩＤリーダ３１と同様にＬＦ波を用いて装置用タグ１７を読み取ることが好ましい。
【００３５】
次に、図２および図３を参照し、ガイダンス装置１０の装置構成および表示画面について説明する。図２に示すように、ガイダンス装置１０は、装置本体１１と、当該装置本体１１と有線コード１８を介して接続されたヘッドホン１２と、当該装置本体１１に着脱可能なメモリカード（記録媒体）１３と、を有する。装置本体１１は、その前面に表示機能付のタッチパネル１４と、操作ボタン群１５と、が設けられていると共に、側面下部にメモリカードスロット（記録媒体装着部）１６が形成されている。また、背面上部には、ＲＦＩＤリーダ３１との通信に用いられる上記の装置用タグ１７が貼付あるいは内蔵され、装置内部には作品用タグ２２との通信に用いられるループアンテナ１９が設けられている。
【００３６】
操作ボタン群１５は、言語ボタン、作品情報ボタンおよび展示場情報ボタンから成る。言語ボタンは、ヘッドホン１２に出力される音声ガイダンスおよびタッチパネル１４に表示される文字情報の言語を選択するためのものであり、押下毎に、例えば日本語、英語、韓国語、中国語など複数の言語に切り替えられるようになっている。作品情報ボタンは、押下されると、図３（ａ）に示すような作品情報表示画面Ｄ２に遷移する。また、展示場情報ボタンは、押下されると、図３（ｂ）に示すような展示場情報表示画面Ｄ３に遷移する。
【００３７】
メモリカード１３は、受付カウンターにて予めメモリカードスロット１６に挿入された状態で貸し出されるものであり、作品用タグ２２と対応付けられている全ての作品の作品情報を記憶している。作品情報としては、ヘッドホン１２に出力するための音声データと、タッチパネル１４に表示するための表示データと、を含む（図６参照）。
【００３８】
続いて、タッチパネル１４に表示される各画面Ｄ１〜Ｄ３について詳細に説明する。図２は、不図示の電源ボタン押下後に表示される初期画面Ｄ１を示したものである。初期画面Ｄ１は、その画面上部に、設定されている言語情報、および日付情報等の補助情報５０を表示すると共に、画面中央には、各種設定を行うための項目５２を表示する。設定可能な項目は、「観覧希望時間」、「希望カテゴリ」および「観覧コース」の３つである。詳細については後述するが、「観覧希望時間」を選択すると、展示場１００を観覧するための希望所要時間を入力可能であり、「希望カテゴリ」を選択すると、観覧を希望するカテゴリを選択可能となっている。本実施形態では、作者別のカテゴリ（「ミラー」，「ゴッホ」など，図６参照）を指定できるものとする。また、「観覧コース」を選択すると、作品情報の特定項目（概要データ）のみを視聴できる「初心者コース」と、作品情報の全項目（概要データおよび詳細データ）を視聴できる「熟練者コース」と、のいずれかを選択できるようになっている。観覧者は、各項目の設定を終えると、画面下部に表示されているスタートボタン５３を押下して、ガイダンスの視聴を開始する。
【００３９】
なお、ガイダンス装置１０は、各項目５２の設定内容に応じて、ガイダンス対象となる対象作品と共に出力対象となる作品情報の項目（概要データ，詳細データ）を抽出したガイダンス情報を生成する。すなわち、ガイダンス情報とは、各項目５２の設定内容に応じて抽出された１以上の対象作品の作品情報の、抽出された項目を指すものである。また、ガイダンス装置１０は、各項目の設定内容に応じて、展示場１００内を誘導するための誘導案内情報を生成する。そして、生成したこれらの情報（ガイダンス情報および誘導案内情報）を、タッチパネル１４に表示したりヘッドホン１２に出力したりする。なお、初期画面Ｄ１において、各項目５２の設定が行われず、スタートボタン５３が押下された場合は、デフォルト設定として全ての作品の作品情報をガイダンスするようになっている。すなわち、上記の各項目の設定は必須ではない。
【００４０】
図３（ａ）は、主に作品情報を表示する作品情報表示画面Ｄ２を示したものである。作品情報表示画面Ｄ２は、補助情報５０として、その画面上部に言語情報および日付情報等の他、作品情報表示画面Ｄ２または展示場情報表示画面Ｄ３のいずれを表示しているかを示す表示情報（情報：作品）を表示する。また、作品情報表示画面Ｄ２は、補助情報５０の下側に位置するメイン領域に、作者名、作成日、作品名を含む書誌事項５４と、作品解説等の文字情報５５と、写真や挿絵等の画像情報５６と、をさらに表示する。このうち、書誌事項５４および文字情報５５は、音声ガイダンスとしてヘッドホン１２に出力される。
【００４１】
また、図３（ｂ）は、主に誘導案内情報を表示する展示場情報表示画面Ｄ３を示したものである。展示場情報表示画面Ｄ３は、その画面上部に補助情報５０を表示すると共に、その下側に位置するメイン領域に、展示場マップ５８を表示する。展示場マップ５８は、各作品の展示位置、展示場１００の入口位置６５および出口位置６６を示す他、各展示エリアＡ１，Ａ２，Ｂ１，Ｂ２を点線で示す(Ｅａ１〜Ｅｂ２)。また、各作品の展示位置を示すマーク６３，６４は、斜線表示されたもの（６３）と、白抜き表示されたもの（６４）と、があり、前者は既に鑑賞済みであること、後者は未鑑賞であることを示している。鑑賞済みであるか否かは、その作品の作品番号を表示および音声出力したか否かによって判別される。図示の例では、Ａ１エリアＥａ１とＡ２エリアＥａ２で、それぞれ１作品ずつ、合計２作品を鑑賞したことを示している。
【００４２】
また、各作品の展示位置を示すマーク６３，６４の近傍には、それぞれ作品用タグ２２の有無を示す作品用タグマーク６１，６２を示している。図示の例では、全ての作品に作品用タグ２２が設置され、作品情報を視聴できるようになっていることを示している。作品用タグマーク６１，６２は、黒四角（６１）と、白抜き四角（６２）と、があり、前者はガイダンスの対象作品であること（対象作品用タグであること）、後者は対象作品でないことを示している。対象作品であるか否かは、初期画面Ｄ１の設定内容に従って生成されたガイダンス情報に基づく。なお、白抜き四角の作品用タグマーク６２と対応付けられている作品については、初期画面Ｄ１で設定した設定内容を変更またはリセットしない限り、作品情報を視聴できないようにしてもよい。
【００４３】
さらに、展示場情報表示画面Ｄ３では、展示場マップ５８上に、ガイダンス装置１０の現在位置を×印５９で示す。この現在位置は、ガイダンス装置１０による作品用タグ２２の読み取り結果に基づいて特定される。例えば、図１の例の場合、２つの作品用タグ２２ａ，２２ｂが読み取った装置番号が同一で且つ電波強度が同一の場合、作品用タグ２２ａ，２２ｂの略中間にガイダンス装置１０が位置するものと判断でき、図３（ｂ）のように現在位置を表示する。なお、正確な現在位置を表示できるようにするため、ガイダンス装置１０は、少なくとも展示場情報表示画面Ｄ３を表示している状態において、定期的に作品用タグ２２と通信を行うことが好ましい。すなわち、ガイダンス装置１０は、ループアンテナ１９から定期的に応答リクエストを送信することが好ましい。
【００４４】
次に、図４を参照し、ガイダンス装置１０の制御構成について説明する。ガイダンス装置１０は、制御系の構成として、入力手段１１０、作品情報取得手段１２０、展示場マップ記憶手段１３０、ガイダンス情報生成手段１４０、誘導案内情報生成手段１５０、計時手段１６０、通信手段１７０および出力手段１８０を備えている。
【００４５】
入力手段１１０は、タッチパネル１４および操作ボタン群１５を主要構成要素とするものであり、初期画面Ｄ１において、「観覧希望時間」、「希望カテゴリ」および「観覧コース」の各項目について情報入力を行うものである（タッチパネル１４）。また、入力手段１１０は、言語を切り替えたり、タッチパネル１４に表示する情報（作品情報／展示場情報）を切り替えたりする際にも用いられる（操作ボタン群１５）。
【００４６】
作品情報取得手段１２０は、メモリカードスロット１６を主要構成要素とするものであり、メモリカード１３から作品情報（図６参照）を取得する（読み出す）。なお、作品情報取得手段１２０が取得する作品情報は、ガイダンス情報生成手段１４０により抽出された対象作品の作品情報のみであっても良いし、メモリカード１３に記録されている全ての作品情報を読み出してガイダンス装置１０内の不図示のメモリ（ＲＡＭ）に格納しておいても良い。
【００４７】
展示場マップ記憶手段１３０は、不図示のメモリ（ガイダンス装置１０内に組み込まれたフラッシュＲＯＭなど）を主要構成要素とするものであり、展示場情報表示画面Ｄ３に表示するための展示場マップ５８を記憶する。なお、展示場マップ記憶手段１３０は、作品の配置変更に対応できるように書き換え可能に構成されていることが好ましい。また、作品情報と同様に、展示場マップ５８をメモリカード１３に記録しておき、当該メモリカード１３から読み出すようにしても良い（この場合には、展示場マップ記憶手段１３０の主要構成要素として、メモリカードスロット１６を含む）。
【００４８】
ガイダンス情報生成手段１４０は、不図示のＣＰＵを主要構成要素とするものであり、対象作品の作品情報をガイダンスするためのガイダンス情報（図７（ｃ）参照）を生成する。ガイダンス情報生成手段１４０は、設定された観覧希望時間および希望カテゴリに応じて、対象作品を抽出し（対象作品抽出手段）、さらに設定された観覧コースに応じて、ガイダンスする作品情報の項目を抽出する（項目抽出手段）ことにより、ガイダンス情報を生成する。
【００４９】
誘導案内情報生成手段１５０は、不図示のＣＰＵを主要構成要素とするものであり、展示場１００内を誘導するための誘導案内情報（図８参照）を生成する。誘導案内情報は、ガイダンス情報生成手段１４０において抽出された対象作品の数から導き出される対象作品毎の鑑賞時間に基づいて生成される。本実施形態では、１作品当たりの鑑賞時間は観覧コースに応じて一律とするが、作品情報のデータ量等に応じて作品毎に異なる鑑賞時間を設定しても良い。なお、詳細については後述するが、誘導案内情報は、メモリカード１３に記憶されている各作品の展示位置（図６参照）と、展示場マップ記憶手段１３０に記憶されている展示場マップ５８と、に基づいて生成される。また、図３（ｂ）に示した展示場マップ５８上において、ガイダンス装置１０の現在位置５９を表示したり、視聴済みの作品マーク６３を斜線表示したりする表示制御も、誘導案内情報に基づくものである。
【００５０】
計時手段１６０は、不図示のタイマーにより構成されるものであり、補助情報５０として表示するための日付（現在日時）や、観覧開始（スタートボタン５３の押下）からの経過時間を計時する。
【００５１】
通信手段１７０は、ループアンテナ１９を主要構成要素とするものであり、作品用タグ２２と通信を行う。通信手段１７０は、応答リクエストを作品用タグ２２に送信することにより、その応答として、作品用タグ２２に記録されている作品番号を取得する。
【００５２】
出力手段１８０は、音声出力手段１８１と、表示手段１８２と、から成り、音声出力手段１８１はヘッドホン１２を、表示手段１８２はタッチパネル１４を、それぞれ主要構成要素とする。出力手段１８０は、生成されたガイダンス情報（作品情報）および誘導案内情報を表示および音声出力すると共に、通信手段１７０の通信結果から特定される観覧者の現在位置を展示場情報表示画面Ｄ３に表示する。なお、出力手段１８０は、赤外線通信等によりヘッドホン１２やイヤホンに音声データを出力しても良いし、他の機器に表示データを出力しても良い。他の機器としてプリンタを用いれば、ガイダンス終了後に鑑賞作品一覧（対象作品の一覧）を出力して観覧者に持ち帰ってもらうなどのサービスを実現できる。
【００５３】
次に、図５のフローチャートを参照し、ガイダンス装置１０によるガイダンス動作について説明する。ここでは、ガイダンスが開始され、既にガイダンス情報が生成されているものとする。観覧者により、作品情報ボタンが押下されると、作品用タグ２２に対して応答リクエストを送信する（Ｓ０１）。ガイダンス装置１０は、当該応答リクエストに対して応答を受信した場合（Ｓ０２：Ｙｅｓ）、その応答によって取得した作品番号の中に、ガイダンス情報に含まれる対象作品が存在するか否かを判別する（Ｓ０３）。
【００５４】
ここで、対象作品が存在する場合は（Ｓ０３：Ｙｅｓ）、その対象作品の作品番号および書誌事項５４をタッチパネル１４上に一覧表示する（Ｓ０４）。観覧者が、タッチパネル１４の操作によりその中から１の作品を選択すると（Ｓ０５）、その作品の作品情報をタッチパネル１４上に表示すると共にヘッドホン１２に出力する（Ｓ０６）。
【００５５】
なお、上記のフローチャートのＳ０３において、応答した対象作品が１つだけであった場合は、Ｓ０４およびＳ０５を実行することなく、その作品の作品情報を出力するようにしても良い。
【００５６】
また、ガイダンス装置１０が応答リクエストを送信して、作品用タグ２２から応答を受けるのではなく、作品用タグ２２が定期的に電波を発信し（作品番号をアップロードし）、ガイダンス装置１０（通信手段１７０）がその電波を拾うことにより作品番号を取得する構成としても良い。
【００５７】
次に、図６を参照し、メモリカード１３に記録されている作品テーブル（作品情報）について説明する。同図に示すように、作品テーブルは、作品番号と、各作品が属するカテゴリと、音声出力するための作品情報である音声データと、タッチパネル１４上に表示するための作品情報である表示データと、各作品の優先度と、各作品の展示場１００内における配置を示す展示位置と、を作品毎に関連づけて記憶している。
【００５８】
音声データおよび表示データは、それぞれ概要データと、詳細データとの２つの項目から成る。希望コースとして「初心者コース」が選択された場合は、このうち概要データのみが出力され、「熟練者コース」が選択された場合は、概要データおよび詳細データの両データが出力される。
【００５９】
優先度は、展示場１００側が鑑賞をお勧めする度合いを示したものである。上記のとおり、対象作品の抽出は、基本的に鑑賞者が設定した希望カテゴリと観覧希望時間とに基づくが、優先度が最優先「Ａ」の作品（図示の例の場合、作品番号＃２２）については、希望カテゴリに関わらず対象作品として抽出される。
【００６０】
また、展示位置は、その作品がどの展示エリア（Ｅａ１〜Ｅｂ２）に展示されているかを示すものであり、誘導案内情報生成手段１５０が誘導案内情報を生成する際に用いる。
【００６１】
次に、図７および図８を参照し、ガイダンス情報および誘導案内情報の生成アルゴリズムについて説明する。ここでは、図７（ａ）に示すように、展示作品数が全部で１２個の展示場１００において、観覧所要時間が、「初心者コース」で６０分、「熟練者コース」で１２０分に初期設定されているものとする。すなわち、１作品当たりの鑑賞所要時間（次の作品への移動時間も含む）は、「初心者コース」の場合５分（６０分／１２＝５分）、「熟練者コース」の場合１０分（１２０分／１２＝１０分）に設定されているものとする。
【００６２】
また、図７（ｂ）に示すように、初期画面Ｄ１における入力情報（各項目の設定内容）として、観覧希望時間：２０分、希望カテゴリ：「ミラー」、および観覧コース：「初心者コース」と入力されているものとする。
【００６３】
上記のような初期設定および入力情報に基づき、ガイダンス装置１０（ガイダンス情報生成手段１４０）は、図７（ｃ）に示すようなガイダンス情報を生成する。つまり、「初心者コース」が選択されているため、１作品あたりの鑑賞所要時間を５分とすると、４作品を鑑賞できる。また、希望カテゴリとして「ミラー」が選択されているため、カテゴリが「ミラー」の作品を優先的に対象作品とする。但し、作品テーブルを参照すると、作品番号＃２２の作品が優先度Ａで最優先であるため、結果として、作品番号＃２２と、ミラー作品の作品番号＃１１，＃１２，＃１３の合計４作品が対象作品として抽出される。また、「初心者コース」が選択されているため、音声ガイダンスされる音声データ、およびタッチパネル１４に表示される表示データとしては、いずれも概要データのみが抽出される。
【００６４】
なお、図７（ｃ）では、作品番号順に作品情報を列記しているが、必ずしもこれらの順序通りに観覧を行う必要はなく、観覧者が少ない作品から鑑賞を開始しても良い。但し、以下の説明では、この作品番号順に作品情報の視聴を行うものとして説明する。
【００６５】
続いて、誘導案内情報について説明する。図８（ａ）に示すように、誘導案内情報は、各作品の鑑賞所要時間が５分であるため、鑑賞時間を４分、移動時間を１分として生成される（鑑賞時間４分＋移動時間１分＝鑑賞所要時間５分）。したがって、４作品の鑑賞に要する観覧予定時間は、最後の作品の移動時間分を差し引いた１９分である。なお、図８（ａ）に示す誘導案内情報に基づいて、図３（ｂ）に示すように、タッチパネル１４上には、次に鑑賞する対象作品に対応する対象となる作品用タグマーク６１が点滅表示される。さらに、次に鑑賞する対象作品への進行方向が矢印６９で表示される。
【００６６】
図８（ｂ）は、音声出力される誘導案内情報を示したものである。つまり、同図に示す誘導タイミングで、対応する各メッセージが音声出力される。例えば、誘導案内開始時には、最初の作品の作品番号や作品名、展示位置、受付カウンターからの進行方向等を音声出力する。観覧者が、作品番号＃１１の近傍で作品番号＃１１の作品情報を視聴し、その視聴開始から４分が経過すると、次の作品への移動を案内する（同時に、タッチパネル１４上では、次に鑑賞する対象作品の対象作品用タグ６１が点滅表示される）。なお、ガイダンス情報に基づく各対象作品の作品情報（ここでは、音声概要データ）の出力時間は、誘導案内情報との重複を避けるため、４分以内であることが好ましい。このようにして、４作品全ての対象作品のガイダンスを終了すると（作品番号＃２２のガイダンス開始から４分経過時）、ガイダンスを終了する旨、およびガイダンス装置１０の返却案内を行う。
【００６７】
以上のとおり、本実施形態のガイダンス装置１０は、入力された観覧希望時間に応じて、複数の作品の中からガイダンス対象となる対象作品を抽出してガイダンス情報を生成するため、観覧者の観覧希望時間に見合った作品数のガイダンスを行うことができる。また、観覧希望時間だけでなく、希望カテゴリや観覧コースを指定できるため、観覧者のニーズや好みに合ったガイダンスを行うことができる。
【００６８】
また、作品情報は、メモリカード１３から取得できるため、ガイダンス装置本体１１の汎用性を高めることができる。また、メモリカード１３から作品情報を取得するため、作品情報を提供するネットワーク等の設備を必要とすることなく、ガイダンス装置１０だけでガイダンスサービスを実現することができる。
【００６９】
また、ガイダンス装置１０は、作品用タグ２２からの発信電波を受信することによって作品情報を出力する構成であるため、観覧者の身近にある作品の作品情報を出力できる。すなわち、多くの作品情報の中から所望の作品を選択するといった煩雑な手間を必要としないため、操作が容易である。また、対象作品の作品用タグ２２以外からの発信電波の受信を無視するため、所望の作品ではなく誤って隣の作品の作品情報を受信してしまうといった電波受信障害を軽減することができる。
【００７０】
なお、上記の実施形態において、ガイダンス装置１０に展示場サーバ４０（複数のＲＦＩＤリーダ３１）との専用通信回線を設け、展示場サーバ４０と通信できるように構成しても良い。この構成によれば、展示場サーバ４０にて（展示場サーバ４０のディスプレイに表示される展示場マップ上で）、各観覧者の位置や動向を把握することができる。また、ガイダンス装置１０は、展示場サーバ４０から同グループに所属するガイダンス装置１０の現在位置を取得することで、タッチパネル１４（展示場マップ５８）上で、同伴者の現在位置を確認することができる。
【００７１】
さらに、ガイダンス装置１０が作品用タグ２２の読み取り結果を展示場サーバ４０に送信し、展示場サーバ４０が当該読み取り結果によって各ガイダンス装置１０の位置を特定するようにしても良い。この構成によれば、装置用タグ１７を不要とすることができる。また、展示場１００の広さとＲＦＩＤリーダ３１の通信可能距離とに応じて、ＲＦＩＤリーダ３１の設置数を減らすことも可能である。また、展示場サーバ４０は、ガイダンス装置１０による作品用タグ２２の読み取り結果と、複数のＲＦＩＤリーダ３１による装置用タグ１７の読み取り結果と合わせて総合的に位置判断を行っても良い。この構成によれば、より確実にガイダンス装置１０の位置を特定することができる。
【００７２】
また、展示場サーバ４０は、上記の専用通信回線を用いて、ガイダンス装置１０に、作品情報を提供しても良い。この構成によれば、ガイダンス装置１０が展示場サーバ４０から受信した作品情報を内部メモリに格納すればよいため、メモリカード１３を省略することができる。また、夜間などガイダンス装置１０の非稼動時に展示場サーバ４０から作品情報を受信して内部メモリの内容を書き換えるように構成することで、作品情報の変更や追加に対応することができる。
【００７３】
また、ガイダンス装置１０、ＲＦＩＤリーダ３１および展示場サーバ４０の通信には、メッシュ型無線ＬＡＮを用いても良い。メッシュ型無線ＬＡＮを用いることで、ＲＦＩＤリーダ３１の追加が容易であると共に、低コストでガイダンスシステム１を構築することができる。
【００７４】
また、上記の実施形態では、設定された観覧コース（初心者コース・熟練者コース）に応じて、出力対象となる作品情報の項目（概要データ，詳細データ）を抽出するものとしたが、観覧コースではなく、設定された観覧希望時間に応じて、出力対象となる作品情報の項目を抽出するようにしても良い。この構成によれば、入力された観覧希望時間に応じて、出力対象となる作品情報の項目を抽出することにより、観覧希望時間が短い場合に、出力対象となる作品情報の項目を減らすことができる。これにより、１作品当たりの鑑賞時間を短くすることができるため、同じ観覧時間でも多くの作品を鑑賞することができる。なお、観覧コースおよび観覧希望時間の両方の設定に応じて、作品情報の項目を抽出するようにすることも可能である。
【００７５】
また、上記の実施形態では、初期画面Ｄ１における設定内容に基づいて、誘導案内情報を生成するものとしたが、観覧者の現在位置も考慮して誘導案内情報を生成するようにしても良い。つまり、誘導案内情報生成手段１５０は、通信手段１７０の通信結果に基づいて、観覧者の現在位置を特定し、その現在位置に基づいて誘導情報を生成するようにしても良い。この場合、例えば次に鑑賞する予定の作品の展示位置近傍に観覧者が位置する場合は、展示位置の案内を省略するようにしても良いし、次に鑑賞する予定の作品から離れた場所に観覧者が位置する場合は、その位置から鑑賞予定の作品までの経路をナビゲートするようにしても良い。
【００７６】
続いて、本発明の第２実施形態について説明する。上記の実施形態では、ガイダンス装置単体でガイダンスサービスを実現するものとしたが、本実施形態では、ガイダンス装置と展示場サーバとの通信によってガイダンスサービスを実現する点で異なる。以下、第１実施形態（主に図４のブロック図）と異なる点を中心に説明する。
【００７７】
図９に示すように、第２実施形態に係るガイダンスシステム２０１は、ガイダンス装置２１０と、展示場サーバ３４０とから成る。ガイダンス装置２１０は、入力手段２２０、入力情報送信手段２３０、ガイダンス情報受信手段２４０および出力手段２５０を備えている。一方、展示場サーバ３４０は、入力情報受信手段２６０、データベース２７０、ガイダンス情報生成手段２８０およびガイダンス情報送信手段２９０を備えている。
【００７８】
入力情報送信手段２３０は、展示場サーバ３４０と通信を行うための専用通信回線およびアンテナ（いずれも図示省略）を主要構成要素とするものであり、入力手段２２０によって入力された入力情報（初期画面Ｄ１における入力内容）を展示場サーバ３４０に送信する。
【００７９】
入力情報受信手段２６０は、ネットワークＮＴ１と接続される接続口（図示省略）を主要構成要素とするものであり、展示場１００内に設置された複数のＲＦＩＤリーダ３１を介して、入力情報を受信する。データベース２７０には、作品テーブル（図６参照）が記憶されている。
【００８０】
ガイダンス情報生成手段２８０は、受信した入力情報に基づいて、複数の作品情報の中から対象作品の作品情報を抽出したガイダンス情報を生成する。ガイダンス情報送信手段２９０は、ガイダンス情報生成手段２８０により生成されたガイダンス情報をガイダンス装置２１０に送信する。
【００８１】
ガイダンス装置２１０は、ガイダンス情報受信手段２４０により、このガイダンス情報を受信し、観覧者による入力手段２２０の操作（作品情報ボタンの押下）に従って、出力手段２５０（音声出力手段２５１および表示手段２５２）により各対象作品の作品情報を出力する。
【００８２】
以上、説明したとおり、本実施形態のガイダンスシステム２０１によれば、複数の作品の作品情報を記憶したデータベース２７０と、ガイダンス情報を生成するガイダンス情報生成手段２８０とを、展示場サーバ３４０側に備えたことにより、ガイダンス装置２１０の装置構成を簡素化でき、ひいてはガイダンス装置２１０の低廉化を図ることができる。
【００８３】
なお、ガイダンス情報は、全ての対象作品の作品情報を一括してガイダンス装置２１０に送信するのではなく、作品番号の取得毎（作品の選択毎）にガイダンス装置２１０がその作品番号を展示場サーバ３４０に送信し、その作品番号に該当する作品情報のみを展示場サーバ３４０が送信する構成としても良い。この構成によれば、ガイダンス情報（作品情報）を記憶しておくためのメモリ容量を小さくすることができる。
【００８４】
また、展示場サーバ３４０に、展示場マップ記憶手段および誘導案内情報生成手段を備え、展示場サーバ３４０で生成した誘導案内情報をガイダンス装置２１０に送信するようにしても良い。その他、第１実施形態における展示場サーバ４０の各機能を備えても良い。
【００８５】
また、上記の２つの実施形態に示した、ガイダンス装置１０，２１０や展示場サーバ４０，３４０の各構成要素をプログラムとして提供することが可能である。また、そのプログラムを各種記録媒体（ＣＤ−ＲＯＭ、フラッシュメモリ等）に格納して提供することも可能である。すなわち、コンピュータを、ガイダンス装置１０，２１０や展示場サーバ４０，３４０の各手段として機能させるためのプログラム、およびそれを記録した記録媒体も、本発明の権利範囲に含まれるものである。その他、本発明の要旨を逸脱しない範囲で、適宜変更が可能である。
【図面の簡単な説明】
【００８６】
【図１】第１実施形態に係るガイダンスシステムのシステム構成図である。
【図２】ガイダンス装置の外観図である。
【図３】ガイダンス装置の表示画面を示す図である。
【図４】ガイダンス装置の制御構成を示すブロック図である。
【図５】ガイダンス装置のガイダンス動作を示すフローチャートである。
【図６】メモリカードに記録されている作品テーブルを示す図である。
【図７】ガイダンス情報の生成アルゴリズムを説明するための図である。
【図８】誘導案内情報の生成アルゴリズムを説明するための図である。
【図９】第２実施形態に係るガイダンスシステムのブロック図である。
【符号の説明】
【００８７】
１，２０１…ガイダンスシステム  １０，２１０…ガイダンス装置  １２…ヘッドホン  １３…メモリカード  １４…タッチパネル  １５…操作ボタン群  １６…メモリカードスロット  １７…装置用タグ  ２２…作品用タグ  ３１…ＲＦＩＤリーダ  ３２…盗難防止装置  ４０，３４０…展示場サーバ  ４１…受付コンピュータ  ５８…展示場マップ  Ｄ１…初期画面  Ｄ２…作品情報表示画面  Ｄ３…展示場情報表示画面
【図１】
2009025863.tif 000003
【図２】
2009025863.tif 000004
【図３】
2009025863.tif 000005
【図４】
2009025863.tif 000006
【図５】
2009025863.tif 000007
【図６】
2009025863.tif 000008
【図７】
2009025863.tif 000009
【図８】
2009025863.tif 000010
【図９】
2009025863.tif 000011